(57)【要約】  【課題】  サーバおよびクライアント間でコンテンツを転送する場合に視覚的に分かりやすく、操作しやすい操作画面を表示する。  【解決手段】  コンテンツ１、コンテンツ３およびコンテンツ４が転送対象として選択され、選択されたコンテンツに対応するコンテンツバーがクライアントマーク２２ａ側にずれた位置に表示される。この表示によって、どのコンテンツが転送設定されたかが一目瞭然に分かる。サーバ１からクライアント１に対してコンテンツ１，３および４が転送されると、転送された３個のコンテンツと対応するコンテンツバーの色がクライアントマーク２２ａの色と同一の色、または同系色に変化する。同時にライツが転送されたことを示すために、ライツ情報表示部２４では、コンテンツ１，３，４のそれぞれのライツの赤色の丸が一つ減少する。【選択図】  図５
2006053643.tif 000002
【特許請求の範囲】
【請求項１】
サーバおよびクライアント間でコンテンツを転送する時に、コンテンツの転送を管理するコンテンツ管理装置において、
サーバの表示画面に対してサーバを示すサーバマークと、クライアントを示すクライアントマークと、上記サーバマークおよび上記クライアントマークの間に設定され、管理されているコンテンツと対応するコンテンツマークとを表示し、
上記コンテンツマークの表示状態が上記コンテンツマークに対応するコンテンツの転送状態に応じて変化されるコンテンツ管理装置。
【請求項２】
請求項１において、
さらに、上記コンテンツと共に、上記管理されているコンテンツの転送できる権利の有無を示す権利情報を転送するようになされ、上記表示画面上に、上記権利情報を表示するコンテンツ管理装置。
【請求項３】
サーバおよびクライアント間でコンテンツを転送する時に、コンテンツの転送を管理するコンテンツ管理装置において、
サーバの表示画面に対してサーバを示すサーバマークと、クライアントを示すクライアントマークと、上記サーバマークおよび上記クライアントマークの間に設定され、管理されているコンテンツと対応するコンテンツマークとを表示し、
上記コンテンツマークの表示位置が上記サーバマーク側により近い第１の位置と、上記クライアントマーク側により近い第２の位置との一方に位置することが可能とされ、
上記コンテンツマークが上記第１の位置にあるコンテンツをクライアントに対して転送する場合に、転送すべきコンテンツの上記コンテンツマークを上記第１の位置から上記第２の位置に変化させるコンテンツ管理装置。
【請求項４】
請求項３において、
上記コンテンツマークが上記第２の位置にあるコンテンツをサーバに戻す転送をする場合に、転送すべきコンテンツの上記コンテンツマークを上記第２の位置から上記第１の位置に変化させるコンテンツ管理装置。
【請求項５】
請求項３または４において、
上記コンテンツの転送が終了した状態で上記第２の位置にある上記コンテンツマークの色を変化させるコンテンツ管理装置。
【請求項６】
請求項３において、
上記コンテンツの転送が完了した状態で上記コンテンツマークを上記サーバマークと同色または同系色から上記クライアントマークと同色または同系色へ変化させるコンテンツ管理装置。
【請求項７】
請求項４において、
上記コンテンツの転送が完了した状態で上記コンテンツマークを上記クライアントマークと同色または同系色から上記サーバマークと同色または同系色へ変化させるコンテンツ管理装置。
【請求項８】
請求項１において、
さらに、クライアントに対して転送されるコンテンツのデータ量の表示を行うコンテンツ管理装置。
【請求項９】
サーバおよびクライアント間でコンテンツを転送する時に、コンテンツの転送を管理するコンテンツ管理方法において、
サーバの表示画面に対してサーバを示すサーバマークと、クライアントを示すクライアントマークと、上記サーバマークおよび上記クライアントマークの間に設定され、管理されているコンテンツと対応するコンテンツマークとを表示し、
上記コンテンツマークの表示状態を上記コンテンツマークに対応するコンテンツの転送状態に応じて変化させるコンテンツ管理方法。
【請求項１０】
サーバおよびクライアント間でコンテンツを転送する時に、コンテンツの転送を管理するコンテンツ表示方法において、
サーバの表示画面に対してサーバを示すサーバマークと、クライアントを示すクライアントマークと、上記サーバマークおよび上記クライアントマークの間に設定され、管理されているコンテンツと対応するコンテンツマークとを表示し、
上記コンテンツマークの表示位置が上記サーバマーク側により近い第１の位置と、上記クライアントマーク側により近い第２の位置との一方に位置することが可能とされ、
上記コンテンツマークが上記第１の位置にあるコンテンツをクライアントに対して転送する場合に、転送すべきコンテンツの上記コンテンツマークを上記第１の位置から上記第２の位置に変化させるコンテンツ表示方法。
【発明の詳細な説明】
【技術分野】
【０００１】
この発明は、オーディオデータ、ビデオデータ等のコンテンツをサーバに蓄積し、蓄積されたコンテンツの中で所望のものをクライアントに転送してクライアント側で再生することが可能なコンテンツ管理装置、管理方法およびコンテンツ表示方法に関する。
【背景技術】
【０００２】
パーソナルコンピュータ、テレビジョン受像機、ＣＤプレーヤー等の機器のハードディスクにＣＤ（Compact Disc)からリッピングしたり、ＥＭＤ(Electronic Music Distribution)を通じて取得したコンテンツを蓄積し、ＭＤ(Mini Disc)、ハードディスク、半導体
メモリ等のストレージ媒体を使用した携帯型再生装置に対して所望のコンテンツを転送することが知られている。サーバからクライアントへのコンテンツの転送を、チェックアウトと称し、逆に、クライアントからサーバにコンテンツを戻すことをチェックインと称する場合がある。通常、コンテンツは、メモリの使用効率と転送時間の短縮化のために圧縮されている。
【０００３】
著作権保護のために、携帯型再生装置に対してコンテンツを転送できる回数が制限されている。例えば下記の特許文献１には、パーソナルコンピュータのＧＵＩ(Graphical User Interface)にパーソナルコンピュータに記憶されている楽曲と、携帯型再生装置に記憶されている楽曲とを表示するウインドウの例が示されている。
【０００４】
【特許文献１】特開２００２−３１２５２２号公報
【０００５】
特許文献１では、各コンテンツがタイトル、アーチスト名、ジャンル名等の文字が１行に表示され、各行の先頭に権利情報例えば移動の可否と残りのチェックアウト可能な回数とを表すアイコンが表示される。
【発明の開示】
【発明が解決しようとする課題】
【０００６】
特許文献１の表示は、ユーザにとって権利情報およびコンテンツの転送状態が視覚的に分かりにくい問題があった。すなわち、ユーザにとって、サーバ側とクライアント側にあるコンテンツを別々のウインドウによって確認することによって、そのコンテンツが転送済みか否かを知る必要があった。特に、パーソナルコンピュータと異なり、テレビジョン受像機、ＣＤプレーヤー等の場合では、コンテンツのリストが表示されるディスプレイの解像度が低いため、これらの機器をサーバとして使用した場合には、比較的解像度が高いパーソナルコンピュータのディスプレイを前提としたＧＵＩは、権利情報およびコンテンツの転送状態がより分かりにくくなる問題があった。
【０００７】
したがって、この発明の目的は、視覚的に分かりやすく、操作しやすいユーザフレンドリーな操作画面の表示を行うことができるコンテンツ管理装置、管理方法およびコンテンツ表示方法を提供することにある。
【課題を解決するための手段】
【０００８】
上述した課題を解決するために、この発明は、サーバおよびクライアント間でコンテンツを転送する時に、コンテンツの転送を管理するコンテンツ管理装置において、
サーバの表示画面に対してサーバを示すサーバマークと、クライアントを示すクライアントマークと、サーバマークおよびクライアントマークの間に設定され、管理されているコンテンツと対応するコンテンツマークとを表示し、
コンテンツマークの表示状態がコンテンツマークに対応するコンテンツの転送状態に応じて変化されるコンテンツ管理装置である。
【発明の効果】
【０００９】
この発明によれば、サーバおよびクライアント間でコンテンツの転送を管理する場合に、コンテンツおよびコンテンツに付随する権利情報をユーザが視覚的に分かりやすいように、表示することができる。この発明は、コンピュータ画面のように解像度が高くない表示装置を有するＣＤプレーヤー、テレビジョン受像機等の電子機器をサーバとして使用する場合に好適である。
【発明を実施するための最良の形態】
【００１０】
以下、この発明を適用の一実施形態について、図面を参照して説明する。図１は、一実施形態のシステム構成を示す。サーバ１１とクライアント１２とがインターフェース１３を介して接続されている。
【００１１】
インターフェース１３は、ＳＣＳＩ(Small Computer System Interface)、ＩＥＥＥ(Institute of Electrical and Electronics Engineers) １３９４、ＵＳＢ(Universal Serial Bus)等の有線インターフェース、またはＩｒＤＡ(Infrared Data Association)、無線ＬＡＮ(Local Area Network)、ブルートゥース等の無線インターフェースを使用できる。
【００１２】
サーバ１１は、具体的には、テレビジョン受像機、ＣＤプレーヤー等である。パーソナルコンピュータを使用することもできる。サーバ１１は、コンテンツを蓄積するハードディスク等の蓄積手段、ディスプレイ、ディスプレイを利用したＧＵＩ等を有する。入力装置としては、リモートコントロール装置、方向キー（上下左右の何れかの方向にカーソルを移動させるキー）および決定キーを組み合わせた入力装置等が使用される。
【００１３】
サーバ１１に対しては、ＣＤ１４等のストレージメディア、ＥＭＤ１５を介してコンテンツデータが蓄積される。コンテンツデータは、オーディオデータ、ビデオデータ、電子書籍のデータ等である。
【００１４】
クライアント１２は、ＣＤ−Ｒ／ＲＷドライブ、ＭＤを使用した携帯型装置、半導体メモリを使用した携帯型装置等である。例えばＣＤ−Ｒ／ＲＷドライブをサーバに対してＵＳＢで接続する場合では、サーバに対してこの発明が適用されたコンテンツ管理ソフトウェア（ＣＤ−Ｒ／ＲＷ書き込み機能を有する）がインストールされ、ＣＤ−Ｒ／ＲＷドライブをＵＳＢを介して接続すると、ＣＤ−Ｒ／ＲＷドライブがサーバによって認識される。その後、後述するようなサーバとＣＤ−Ｒ／ＲＷドライブの間でコンテンツの転送がなされる。勿論、ＣＤ−Ｒ／ＲＷドライブ以外の携帯型装置も同様に接続できる。
【００１５】
図２は、一実施形態におけるＧＵＩで使用されるコンテンツマーク（以下、コンテンツバーと称する）の具体例を示すものである。図２Ａに示すコンテンツバーは、水平方向に延びるバー表示の中に、コンテンツのタイトルとアーチスト名が表示されたものである。図２Ｂに示すコンテンツバーは、タイトルとアルバム名とを表示するものである。図２Ｃに示すコンテンツバーは、アルバム名とアーチスト名とを表示するものである。これらの例に示すように、コンテンツの説明のための文字等が付加されたバーがコンテンツバーである。
【００１６】
コンテンツバーは、所定の色で表示される。すなわち、コンテンツがサーバ側に存在している場合には、コンテンツバーが画面上のサーバマークと同色またはと同系色とされ、コンテンツがクライアント側に存在している場合には、コンテンツバーが画面上のクライアントマークと同色または同系色とされる。さらに、データの転送動作時に色が変化する場合に、データの転送に応じてバーの左端から右端に向かって色の切り換わり位置が徐々に移動するようになされる。
【００１７】
以下、サーバのＧＵＩ画面の例を参照して一実施形態についてより詳細に説明する。図３は、サーバ１１が初期状態にある場合の画面表示を示す。図４は、クライアント１２がインターフェース１３を介してサーバ１１に接続された場合の画面表示を示す。図４に示す表示は、クライアントにコンテンツが一つも存在しない状態でなされるものである。
【００１８】
操作画面の表示は、画面に向かって左側に位置するサーバ１と対応するサーバマーク２１ａと、右側に位置するクライアント１に対応するクライアントマーク２２ａと、両者の間に位置し、水平方向に延びるコンテンツバーを重ねて表示するコンテンツバー表示部２３と、サーバマーク２１ａおよびコンテンツバー表示部２３の間に位置するライツ情報表示部２４とからなる。クライアントマーク２２ａは、クライアントがサーバに接続された段階で画面上に表示される。さらに、クライアント側の容量表示部、種々のボタン等が表示される。
【００１９】
図面上では、簡単のためサーバマーク２１ａおよびクライアントマーク２２ａが単なるブロックの形状で描かれているが、実際の機器を模したイメージのアイコンが使用される。例えばクライアントがＣＤ−Ｒの場合であれば、ディスクを模したアイコンが使用される。
【００２０】
図１のシステムでは、１個のサーバ１１と１個のクライアント１２とが示されている。しかしながら、一実施形態では、二つのサーバ（サーバ１およびサーバ２）と、二つのクライアント（クライアント１およびクライアント２）との合計４台の機器が接続可能とされている。図４は、サーバ１に対してクライアント１が接続された状態を示している。
【００２１】
コンテンツバー表示部２３には、サーバ１によって管理されている複数例えば８個のコンテンツ１〜８のコンテンツバーが整列して表示されている。各コンテンツバー内には、図２を参照して説明したように、コンテンツの説明用の文字が表示されている。例えば表示できるコンテンツバーが最大１０個とされている。コンテンツバーの色は、例えばサーバマーク２１ａと同色または同系色とされている。
【００２２】
ライツ情報表示部２４には、権利情報としてのライツが表示される。各コンテンツバーの左側に３個のライツが３個の所定の色例えば赤色の丸で示されている。サーバ側では、各コンテンツに付随するライツは、最大３までとされ、クライアント側では、コンテンツ毎に持てるライツが最大１つまでとされている。ライツは、この発明が適用された管理装置または管理ソフトウェアによって管理されているコンテンツを転送し、受け取った側が再生できる権利を意味する。
【００２３】
一実施形態では、サーバからクライアントに対してコンテンツおよびライツを転送（チェックアウトとも称される）する処理を２ステップで行っている。すなわち、表示されている複数のコンテンツの中から転送したいコンテンツを選択し、その後、画面上またはリモコンのコマンダの所定のボタン例えば転送ボタンを押すことで、転送を設定、予約する。
【００２４】
次に、画面上またはリモコンのコマンダの所定のボタン例えば開始ボタンを押すことで、指定されたコンテンツがクライアントへ転送される。このように、選択したコンテンツの転送を設定するステップと、選択したコンテンツを転送するステップの２段階で転送処理がなされる。転送処理の他の例として、転送したいコンテンツを選択し、次に所定のボタンを押すことで転送がなされるものもある。この発明は、かかる設定のステップを介さない転送処理に対しても適用できる。
【００２５】
図５が転送設定を行った後の表示を示し、図６が転送終了した後の表示を示す。ここでは、コンテンツ１、コンテンツ３およびコンテンツ４が選択され、選択されたコンテンツの転送が設定される。転送設定した段階で、図５に示すように、選択されたコンテンツに対応するコンテンツバーが第２の位置、すなわち、クライアントマーク２２ａにより近い側（図に向かって右側）にずれた位置に表示される。選択されないコンテンツに対応するコンテンツバーの位置は、サーバマーク側により近い第１の位置に位置している。この表示によって、どのコンテンツが転送設定（予約）されたかが一目瞭然に分かる。但し、転送設定の段階では、まだコンテンツがサーバ側にあることを示すために、コンテンツバーは、サーバマーク２１ａと同色、または同系色の状態のままであり、ライツ情報表示部２４の表示も変化しない。
【００２６】
サーバ１からクライアント１に対してコンテンツ１，３および４が転送されると、図６に示すように、転送されたことが分かるように、転送された３個のコンテンツと対応するコンテンツバーの色がクライアントマーク２２ａの色と同一の色、または同系色に変化する。色は、転送動作時に左端から右端に向かって徐々に切り換わる。同時にコンテンツと共にライツが転送されたことを示すために、ライツ情報表示部２４では、コンテンツ１，３，４のそれぞれのライツの赤色の丸が一つ減少する。例えばライツを示す丸が青色に変化する。コンテンツ１，３，４に対応するコンテンツバーがクライアントマーク２２ａ側にあるので、これらのコンテンツが転送されたことが容易に分かる。
【００２７】
図７は、図６に示す状態からクライアント１をサーバ１から切り離した状態例えばＵＳＢプラグを抜いた状態の表示を示す。クライアントマークの表示が消える。コンテンツバー表示部２３は、全コンテンツに対応するコンテンツバーがサーバ側に位置する状態となる。ライツ情報表示部２４の表示は、図６と同じものである。ライツ情報表示部２４において、コンテンツ１，３，４のライツが２個に変化していることが表示されているので、コンテンツ１，３および４は、この後２回までライツを他の機器に転送できることが分かる。
【００２８】
図８は、図７の状態で、再度クライアント１を接続した状態の表示を示す。コンテンツ１，３および４がクライアント１にあるので、図６と同様の表示がなされる。
【００２９】
図９は、図８に示す状態からコンテンツ４をサーバ側に戻す（チェックインと称される場合がある）設定（予約）をした状態の表示を示す。表示されている複数のコンテンツの中からコンテンツ４のコンテンツバーを選択し、その後、画面上またはリモコンのコマンダの所定のボタン例えば転送ボタンを押すことで、戻すための転送を設定、予約する。コンテンツ４に対応するコンテンツバーがサーバ側の位置に戻った状態で表示される。但し、その色は、クライアントマーク２２ａと同色、または同系色の状態のままであり、コンテンツ４がクライアント１側にまだ存在することが表示される。
【００３０】
次に、画面上またはリモコンのコマンダの所定のボタン例えば開始ボタンを押すことで、指定されたコンテンツ４がクライアント１からサーバ１に転送される。図１０は、コンテンツ４を戻す処理が終了した状態を示す。コンテンツ４に対応するコンテンツバーがサーバマーク２１ａと同色または同系色とされ、コンテンツ４に対応するライツの個数が３個の赤の丸に変化し、コンテンツ４がサーバに戻ったことが表示される。
【００３１】
コンテンツをクライアントからサーバに転送する処理も、戻すコンテンツの選択と、戻す処理の設定を行うステップ（図９に示す表示）と、実際に、選択したコンテンツの転送処理を行うステップ（図１０に示す表示）との２段階でなされる。但し、戻すコンテンツの選択後に、戻す処理を開始する１ステップの処理に対してもこの発明を適用できる。
【００３２】
図１１は、図１０に示す状態からクライアント１をサーバ１から切り離した状態の表示を示す。クライアントマークの表示が消える。コンテンツバー表示部２３は、全コンテンツに対応するコンテンツバーがサーバ側に位置する状態となる。ライツ情報表示部２４の表示は、図１０と同じものである。ライツ情報表示部２４において、コンテンツ１および３のライツが２個に変化していることが表示されているので、コンテンツ１および３は、この後２回までライツを他の機器に転送できることが分かる。
【００３３】
図１２は、図１１の状態で他のクライアント２を接続した状態を示す。クライアント２に対応するクライアントマーク２２ｂが表示される。クライアントマーク２２ｂは、クライアント２の機器のイメージを模したアイコンとされる。クライアント２の初期状態では、コンテンツが全く存在しないことを想定しているので、クライアント２をサーバ１に接続した状態で、コンテンツバー表示部２３の表示が変化しない。
【００３４】
図１３がクライアント２に対する転送設定を行った後の表示を示し、図１４が転送終了した後の表示を示す。ここでは、コンテンツ２および３が選択され、選択されたコンテンツの転送が設定される。転送設定した段階で、図１３に示すように、選択されたコンテンツに対応するコンテンツバーがクライアントマーク２２ｂ側（向かって右側）にずれた位置に表示される。この表示によって、どのコンテンツが転送設定（予約）されたかが一目瞭然に分かる。但し、転送設定の段階では、まだコンテンツがサーバ側にあることを示すために、コンテンツバーは、サーバマーク２１ａと同色、または同系色の状態のままであり、ライツ情報表示部２４の表示も変化しない。
【００３５】
サーバ１からクライアント２に対してコンテンツ２および３が転送されると、図１４に示すように、転送されたことが分かるように、転送された２個のコンテンツと対応するコンテンツバーの色がクライアントマーク２２ｂの色と同一の色、または同系色に変化する。色は、転送動作時に左端から右端に向かって徐々に切り換わる。同時にコンテンツと共にライツが転送されたことを示すために、ライツ情報表示部２４では、コンテンツ２，３のそれぞれのライツの赤色の丸が一つ減少し、青色に変化する。コンテンツ２，３に対応するコンテンツバーがクライアントマーク２２ｂ側にあるので、これらのコンテンツが転送されたことが容易に分かる。
【００３６】
図１５は、図１４に示す状態からクライアント２をサーバ１から切り離した状態の表示を示す。クライアントマーク２２ｂの表示が消える。コンテンツバー表示部２３は、全コンテンツに対応するコンテンツバーがサーバ側に位置する状態となる。ライツ情報表示部２４の表示は、図１４と同じものである。
【００３７】
図１６は、他のサーバ２の初期状態の表示を示す。この表示からサーバ２が上述したサーバ１が持っているコンテンツとは別のコンテンツ９および１０と、各コンテンツに対応する３個のライツを持っていることが分かる。
【００３８】
図１７は、既にサーバ１からコンテンツが転送されているクライアント１をサーバ２に接続した場合の表示を示す。クライアント１に対応するクライアントマーク２２ａが表示される。クライアント１が持っているコンテンツ１および３のコンテンツバーとこれらのコンテンツのライツとが表示される。まだクライアント側にのみコンテンツ１および３が存在していることがライツ（赤丸）がないこと、並びにコンテンツバーがクライアントマーク２２ａと同色または同系色であることから分かる。すなわち、サーバ２は、元々コンテンツ１および３を持っていなかったために、コンテンツ１および３に関してのライツを一つも有していない。
【００３９】
図１７の状態において、コンテンツ１０をサーバ２からクライアント１に転送し、コンテンツ３をクライアント１からサーバ２に転送する転送設定（予約）をした状態の表示が図１８に示される。図１７および図１８を比較すると分かるように、コンテンツ１０に対応するコンテンツバーがクライアントマーク２２ａ側に移動し、コンテンツ３に対応するコンテンツバーがサーバマーク２１ｂ側に移動する。但し、移動したコンテンツバーの色は、元の色のままである。
【００４０】
図１９は、図１８の設定後に実際にコンテンツ３および１０を転送した後の表示状態を示す。コンテンツバーの色とライツ情報表示部２４のライツ情報の変化から転送が終了したことが表示される。
【００４１】
図２０は、図１９に示す状態において、クライアント１をサーバ２から切り離した状態の表示を示す。クライアントマーク２２ａの表示が消えると共に、クライアント１のみが持っていたコンテンツ１に対応するコンテンツバーおよびライツの情報が消える。さらにコンテンツバー表示部２３は、全コンテンツに対応するコンテンツバーがサーバ側に位置する状態となる。残りのコンテンツに関するライツ情報表示部２４の表示は、図１９と同じものである。ライツ情報表示部２４において、コンテンツ３のライツが１個に増え、コンテンツ１０のライツが１個減少したことが表示される。
【００４２】
図２１は、図２０の状態からサーバ２が持っているコンテンツ１０の消去を設定（予約）した状態の表示を示す。消去予約は、表示されている複数のコンテンツの中からコンテンツ１０のコンテンツバーを選択し、その後、画面上またはリモコンのコマンダの所定のボタン例えば消去設定ボタンを押すことで、消去を設定、予約する。消去予約を示すために、コンテンツ１０に対応するライツ情報およびコンテンツバーが他の色と識別できる色に変化している。
【００４３】
図２２は、図２１の状態からコンテンツ１０の消去が完了した状態を示す。画面上またはリモコンのコマンダの所定のボタン例えば開始ボタンを押すことで、消去が実行される。コンテンツ１０のコンテンツバーおよびライツ情報表示が画面上から消え、消去が完了したことが表示される。
【００４４】
以上の説明では、転送の設定の段階では、コンテンツバーの色を変化させず、転送が完了した段階でコンテンツバーの色を変化させている。すなわち、２段階の色を切り換えている。しかしながら、転送の設定の段階で色を変化させ、転送の完了でさらに色を変化させるようにしても良い。
【００４５】
図２３は、このように色を３段階に変化させる場合のコンテンツバーの表示例を示す。図２３Ａは、コンテンツ１および３の転送を設定した状態を示す。コンテンツ１および３に対応するコンテンツバーがそれぞれ右側（クライアント側）に移動する。これと共に色が例えばオレンジ色（サーバマークと同一色である）から緑色に変化される。
【００４６】
次に、コンテンツ１および３の転送が開始されると、図２３Ｂに示すように、コンテンツ１の転送中にコンテンツバーの色が左端から紫色に変化する。そして、コンテンツ１および３の転送が完了した段階では、図２３Ｃに示すように、コンテンツ１および３に対応するコンテンツバーがそれぞれ紫色となる。紫色は、クライアントマークの色と同一である。このように、転送または消去設定した段階で紫色に変化させるので、転送したことをユーザが容易に知ることができる。
【００４７】
さらに、この発明では、上述したように、サーバマークと、クライアントマークと、両者の間に位置するコンテンツバー表示部と、ライツ情報表示部とに加えて、同一画面上にクライアント側の容量表示がなされる。
【００４８】
図２４は、容量表示の一例を示す。初期状態でサーバに接続されたクライアントの記憶媒体にコンテンツが存在していない場合に、コンテンツの転送を設定すると、設定されたコンテンツのデータ量に応じた高さＣ１の緑色の容量バーＡ１が表示される。そして、コンテンツの転送を実行すると、容量バーＡ２で示すように、データの転送に応じて下側から上側に向かってバーの色が紫色に変化する。転送が終了した段階では、バーの色が紫色の一色なる。
【００４９】
次に、同じクライアントに対して他のコンテンツの転送を設定すると、容量バーＡ４で示すように、転送済みのコンテンツに対応した高さＣ１の紫色のバーに対して、新たに設定されたコンテンツのデータ量に対応した高さＣ２の緑色のバーが積み重ねられる。新たに設定されたコンテンツの転送が終了すると、全体が紫色で、高さが（Ｃ１＋Ｃ２）の容量バーＡ６が表示される。図示しないが、クライアントからサーバに対してコンテンツが転送された場合には、容量バーの高さが転送されたコンテンツのデータ量に対応して低くなる。なお、容量表示として、接続されたクライアント側の満容量を示す表示を行うようにしても良い。
【００５０】
以上、この発明の各実施形態について具体的に説明したが、この発明は、上述の実施形態に限定されるものではなく、この発明の技術的思想に基づく各種の変形が可能である。例えば、この発明は、オーディオデータ以外のコンテンツ例えば画像データの転送に対しても適用できる。また、コンテンツバー以外にコンテンツの転送状態に応じて位置が変化する表示が可能である。例えばコンテンツの内容に応じた縮小画像をコンテンツバーの代わりに使用し、サーバ側からクライアント側に転送した時には、この縮小画像を右側に移動するような表示を行うようにしても良い。
【図面の簡単な説明】
【００５１】
【図１】この発明を適用できるコンテンツ転送システムの概略を示すブロック図である。
【図２】この発明の一実施形態におけるコンテンツバーのいくつかの例を示す略線図である。
【図３】サーバが初期状態にある場合の操作画面を示す略線図である。
【図４】サーバに対してクライアントを接続した時の操作画面を示す略線図である。
【図５】コンテンツ１，３，４の転送設定を行った状態の操作画面を示す略線図である。
【図６】コンテンツ１，３，４の転送が終了した状態の操作画面を示す略線図である。
【図７】サーバからクライアントを分離した状態の操作画面を示す略線図である。
【図８】サーバに対してクライアントを再度接続した状態の操作画面を示す略線図である。
【図９】コンテンツ４に関してクライアントからサーバに対する転送設定を行った状態の操作画面を示す略線図である。
【図１０】コンテンツ４の転送が終了した状態の操作画面を示す略線図である。
【図１１】サーバからクライアントを再度分離した状態の操作画面を示す略線図である。
【図１２】サーバに対して他のクライアントを接続した時の操作画面を示す略線図である。
【図１３】コンテンツ２，３の転送設定を行った状態の操作画面を示す略線図である。
【図１４】コンテンツ２，３の転送が終了した状態の操作画面を示す略線図である。
【図１５】サーバから他のクライアントを分離した状態の操作画面を示す略線図である。
【図１６】他のサーバが初期状態にある場合の操作画面を示す略線図である。
【図１７】他のサーバに対してクライアントを接続した時の操作画面を示す略線図である。
【図１８】コンテンツ１０，３の転送設定を行った状態の操作画面を示す略線図である。
【図１９】コンテンツ１０，３の転送が終了した状態の操作画面を示す略線図である。
【図２０】サーバからクライアントを分離した状態の操作画面を示す略線図である。
【図２１】コンテンツ１０の消去設定を行った状態の操作画面を示す略線図である。
【図２２】コンテンツ１０の消去が完了した状態の操作画面を示す略線図である。
【図２３】コンテンツバーの表示の他の例を説明するための略線図である。
【図２４】容量表示を説明するための略線図である。
【符号の説明】
【００５２】
１１・・・サーバ
１２・・・クライアント
１３・・・インターフェース
２１ａ，２１ｂ・・サーバマーク
２２ａ，２２ｂ・・クライアントマーク
２３・・・コンテンツバー表示部
２４・・・ライツ情報表示部
【図１】
2006053643.tif 000003
【図２】
2006053643.tif 000004
【図３】
2006053643.tif 000005
【図４】
2006053643.tif 000006
【図５】
2006053643.tif 000007
【図６】
2006053643.tif 000008
【図７】
2006053643.tif 000009
【図８】
2006053643.tif 000010
【図９】
2006053643.tif 000011
【図１０】
2006053643.tif 000012
【図１１】
2006053643.tif 000013
【図１２】
2006053643.tif 000014
【図１３】
2006053643.tif 000015
【図１４】
2006053643.tif 000016
【図１５】
2006053643.tif 000017
【図１６】
2006053643.tif 000018
【図１７】
2006053643.tif 000019
【図１８】
2006053643.tif 000020
【図１９】
2006053643.tif 000021
【図２０】
2006053643.tif 000022
【図２１】
2006053643.tif 000023
【図２２】
2006053643.tif 000024
【図２３】
2006053643.tif 000025
【図２４】
2006053643.tif 000026